(57)【要約】【課題】簡便な機構で粘着テープを直線状に切断する。【解決手段】テープロールを回転可能にかつテープを引出し可能に保持するテープロール保持部と、テープを押し付けることにより切断可能な切断刃を含んでテープロールから引き出されたテープを切断刃によって切断するテープ切断部とを備えたテープディスペンサで、切断刃は、テープを押し当て可能な直線状に延在する刃先を含む刃先部を有し、この刃先部の端部に、テープ側縁を押し付けてテープに切込みを形成可能な切欠部を有する。この切欠部は例えば半円形状を有する。刃先部は、テープロールに近い側に位置する第一面と、テープロールから遠い側に位置する第二面とを有し、当該第一面と第二面が互いに交差して刃先が形成され、第一面と、テープロールから引き出されたテープとのなす角度が０度以上９０度未満となるように切断刃が備えられている。【選択図】図９
2008297068.tif 000002
【特許請求の範囲】
【請求項１】
テープをロール状に巻いたテープロールを回転可能にかつ当該テープロールからテープを引き出すことを可能に保持するテープロール保持部と、
前記テープを押し付けることにより当該テープを切断可能な切断刃を含み、前記テープロール保持部に収納されたテープロールから引き出されたテープを前記切断刃によって切断するテープ切断部と、
を備えたテープディスペンサであって、
前記切断刃は、
前記テープロールから引き出したテープを押し当てることが可能な略直線状に延在する刃先を含む刃先部を有し、
この刃先部の少なくとも一方の端部に、前記テープロールから引き出したテープの側縁部を押し付けることで当該テープの側縁部に切込みを形成可能な切欠部を有する
ことを特徴とするテープディスペンサ。
【請求項２】
前記刃先部の両端部に切欠部を備え、
これら切欠部は、前記テープロール保持部に収納されるテープの左右各縁部がそれぞれ左右各切欠部内に位置せしめられる間隔を隔てて形成されている
請求項１に記載のテープディスペンサ。
【請求項３】
前記切欠部は、略半円形状を有する
請求項１または２に記載のテープディスペンサ。
【請求項４】
前記切欠部は、優弧形状をなす
請求項１または２に記載のテープディスペンサ。
【請求項５】
前記刃先部に形成される前記切欠部の、前記刃の中心側の角部が鋭角をなす
請求項１または２に記載のテープディスペンサ。
【請求項６】
前記刃先部は、テープロールに近い側に位置する第一の面と、テープロールから遠い側に位置する第二の面とを有し、
これら第一の面と第二の面とが互いに交差することにより前記刃先が形成され、
前記第一の面と、前記テープロールから引き出されたテープとのなす角度が、０度以上９０度未満となるように前記切断刃が備えられている
請求項１から５のいずれか一項に記載のテープディスペンサ。
【請求項７】
前記第一の面と第二の面とのなす角度が９０度より小さく、
これら第一の面および第二の面によって片刃が形成される
請求項６に記載のテープディスペンサ。
【請求項８】
前記切欠部の外側に、前記テープロールから引き出されたテープの左右方向への位置ずれを規制しテープの側縁部を前記切欠部に導くガイド部を備える
請求項１から７のいずれか一項に記載のテープディスペンサ。
【請求項９】
前記ガイド部は、前記刃先より上方に突出している
請求項８に記載のテープディスペンサ。
【請求項１０】
前記刃先部の両端部に切欠部を有すると共に、
これら切欠部の各外側に起立するように前記ガイド部を備え、
これらガイド部の間に、前記テープロールから引き出したテープを落とし込むことにより前記刃先にテープを押し当てることを可能とした
請求項９に記載のテープディスペンサ。
【請求項１１】
前記ガイド部の内側壁部が弧状に湾曲している
請求項９または１０に記載のテープディスペンサ。
【請求項１２】
前記テープロールのテープの引出点側から見て前記切断刃の手前位置に、テープロールから引き出したテープを一時的に貼り付けておくことを可能とする台座状のテープ係止部
をさらに備える請求項１から１１のいずれか一項に記載のテープディスペンサ。
【請求項１３】
テープをロール状に巻いたテープロールを回転可能にかつ当該テープロールからテープを引き出すことを可能に保持するテープロール保持部と、前記テープを切断するテープ切断部とを備えたテープディスペンサに装着して前記テープを切断するテープディスペンサ用切断刃であって、
前記テープロールから引き出したテープを切断可能な切断刃と、
当該刃を前記テープ切断部に支持する固定部と、
を備え、
前記切断刃は、
前記テープロールから引き出したテープを押し当てることが可能な略直線状に延在する刃先を含む刃先部を有し、
この刃先部の少なくとも一方の端部に、前記テープロールから引き出したテープの側縁部を押し付けることで当該テープの側縁部に切込みを形成可能な切欠部を有する
ことを特徴とするテープディスペンサ用切断刃。
【請求項１４】
前記刃先部の両端部に切欠部を備え、
これら切欠部は、前記テープロール保持部に収納されるテープの左右各縁部がそれぞれ左右各切欠部内に位置せしめられる間隔を隔てて形成されている
請求項１３に記載のテープディスペンサ用切断刃。
【請求項１５】
前記切欠部は、略半円形状を有する
請求項１３または１４に記載のテープディスペンサ用切断刃。
【請求項１６】
前記切欠部は、優弧形状をなす
請求項１３または１４に記載のテープディスペンサ用切断刃。
【請求項１７】
前記刃先部に形成される前記切欠部の、前記刃の中心側の角部が鋭角をなす
請求項１３または１４に記載のテープディスペンサ用切断刃。
【請求項１８】
前記刃先部は、テープロールに近い側に位置する第一の面と、テープロールから遠い側に位置する第二の面とを有し、
これら第一の面と第二の面とが互いに交差することにより前記刃先が形成され、
前記第一の面と、前記テープロールから引き出されたテープとのなす角度が、０度以上９０度未満となるように前記切断刃が備えられている
請求項１３から１７のいずれか一項に記載のテープディスペンサ用切断刃。
【請求項１９】
前記第一の面と第二の面とのなす角度が９０度より小さく、
これら第一の面および第二の面によって片刃が形成される
請求項１８に記載のテープディスペンサ用切断刃。
【請求項２０】
前記切欠部の外側に、前記テープロールから引き出されたテープの左右方向への位置ずれを規制しテープの側縁部を前記切欠部に導くガイド部を備える
請求項１３から１９のいずれか一項に記載のテープディスペンサ用切断刃。
【請求項２１】
前記ガイド部は、前記刃先より上方に突出している
請求項２０に記載のテープディスペンサ用切断刃。
【請求項２２】
前記刃先部の両端部に切欠部を有すると共に、
これら切欠部の各外側に起立するように前記ガイド部を備え、
これらガイド部の間に、前記テープロールから引き出したテープを落とし込むことにより前記刃先にテープを押し当てることを可能とした
請求項２１に記載のテープディスペンサ用切断刃。
【請求項２３】
前記ガイド部の内側壁部が弧状に湾曲している
請求項２１または２２に記載のテープディスペンサ用切断刃。
【請求項２４】
前記テープロールのテープの引出点側から見て前記刃先部の手前位置に、テープロールから引き出したテープを一時的に貼り付けておくことを可能とする台座状のテープ係止部
をさらに備える請求項１３から２３のいずれか一項に記載のテープディスペンサ用切断刃。
【請求項２５】
テープをロール状に巻いたテープロールに装着して当該テープロールから引き出されたテープを切断するテープカッターであって、
前記テープロールから引き出したテープを切断可能な切断刃と、
当該切断刃を前記テープロールの周面に沿って移動可能に前記テープロールに支持するベース部と、
を備え、
前記切断刃は、
前記テープロールから引き出したテープを押し当てることが可能な略直線状に延在する刃先を含む刃先部を有し、
この刃先部の少なくとも一方の端部に、前記テープロールから引き出したテープの側縁部を押し付けることで当該テープの側縁部に切込みを形成可能な切欠部を有する
ことを特徴とするテープカッター。
【請求項２６】
前記刃先部の両端部に切欠部を備え、
これら切欠部は、前記テープロール保持部に収納されるテープの左右各縁部がそれぞれ左右各切欠部内に位置せしめられる間隔を隔てて形成されている
請求項２５に記載のテープカッター。
【請求項２７】
前記切欠部は、略半円形状を有する
請求項２５または２６に記載のテープカッター。
【請求項２８】
前記切欠部は、優弧形状をなす
請求項２５または２６に記載のテープカッター。
【請求項２９】
前記刃先部に形成される前記切欠部の、前記刃の中心側の角部が鋭角をなす
請求項２５または２６に記載のテープカッター。
【請求項３０】
前記刃先部は、テープロールに近い側に位置する第一の面と、テープロールから遠い側に位置する第二の面とを有し、
これら第一の面と第二の面とが互いに交差することにより前記刃先が形成され、
前記第一の面と、前記テープロールから引き出されたテープとのなす角度が、０度以上９０度未満となるように前記切断刃が備えられている
請求項２５から２９のいずれか一項に記載のテープカッター。
【請求項３１】
前記第一の面と第二の面とのなす角度が９０度より小さく、
これら第一の面および第二の面によって片刃が形成される
請求項３０に記載のテープカッター。
【請求項３２】
前記切欠部の外側に、前記テープロールから引き出されたテープの左右方向への位置ずれを規制しテープの側縁部を前記切欠部に導くガイド部を備える
請求項２５から３１のいずれか一項に記載のテープカッター。
【請求項３３】
前記ガイド部は、前記刃先より上方に突出している
請求項３２に記載のテープカッター。
【請求項３４】
前記刃先部の両端部に切欠部を有すると共に、
これら切欠部の各外側に起立するように前記ガイド部を備え、
これらガイド部の間に、前記テープロールから引き出したテープを落とし込むことにより前記刃先にテープを押し当てることを可能とした
請求項３３に記載のテープカッター。
【請求項３５】
前記ガイド部の内側壁部が弧状に湾曲している
請求項３３または３４に記載のテープカッター。
【請求項３６】
前記テープロールのテープの引出点側から見て前記刃先部の手前位置に、テープロールから引き出したテープを一時的に貼り付けておくことを可能とする台座状のテープ係止部
をさらに備える請求項２５から３５のいずれか一項に記載のテープカッター。
【発明の詳細な説明】
【技術分野】
【０００１】
本発明は、テープディスペンサ、テープディスペンサ用切断刃およびテープカッターに係り、特に、粘着テープを押し付けて切断する刃の構造に関する。
【背景技術】
【０００２】
簡便かつ即座に対象物を固定できる接着手段として粘着テープが今日広く利用されている。例えば事務用品・梱包用具として一般家庭やオフィスなどにおいて、あるいは産業用に例えば電子・電気機器の製造工程において配線基板やモジュール部品を固定するために、また自動車の内装部品を取り付け、あるいは土木建築現場においてボード類や部材を貼り付けるなど、様々な用途・場面で使用されている。
【０００３】
かかる粘着テープは、樹脂や布、紙などからなるテープ基材の片面または両面に粘着剤を配してなり、一般にロール状に巻いたテープロールとして提供される。またこのようなテープロールには、テープロールに装着して所望の長さにテープを切断することを可能とするカッターが付属品としてあるいは別売器具として提供されることがある。さらに、テープロールを収容すると共に、テープを所望の長さに切断するための刃を備えたディスペンサも各種提供されている（例えば下記特許文献参照）。
【０００４】
【特許文献１】特開平７−２５２０１０号公報
【特許文献２】特開２００１−１８７６６８号公報
【発明の開示】
【発明が解決しようとする課題】
【０００５】
ところで、上記従来のテープカッターは、テープを確実に切断するため一般に図３２に示すように、樹脂製又は金属製の刃がギザギザに（のこぎり状に）形成されている。このため、切断されたテープの端辺が当該刃の形状に対応してギザギザになってしまい、見た目が悪いうえに、テープの端辺の接着強度が低くなってしまう難がある。
【０００６】
実際、オフィスなどにおいてディスペンサの刃でテープを適度な長さに切断した後に、再度鋏でテープ端辺を綺麗に（真っ直ぐに）カットし、テープの切断端部を取り除く作業が行われることがある。また、工場等の各種工業製品の生産現場においては、貼着対象である部材の端縁まで残さずテープを貼り、当該製品が経年使用されたときに接着したテープが端部から次第に剥がれてくるような事態を防ぐために、テープ接着時に、鋏やカッターを使用してテープ端辺を綺麗に直線状に切断する作業が行われることがあり、作業性の点で改善の余地がある。
【０００７】
一方、上記テープディスペンサの中には、切断端辺がギザギザにならず、直線状にテープを切断可能なものもある。しかしながら従来のディスペンサは、一般に機構が複雑でテープ本体に比べて高価であり、簡便性に欠ける難がある。
【０００８】
さらに、粘着剤を備えたテープに限らず、アルミホイルやラップ、トイレットペーパー類など、粘着テープと同様に長尺の材料をロール状に巻いて提供される各種の製品（本出願においてはこれらも含め「テープ」と総称する）があるが、これらについても粘着テープ同様に使用時に所望の長さに切る必要があり、従来のカッターではギザギザの刃が備えられていることが多く、これに対応して切断端辺がギザギザになる同様の問題がある。
【０００９】
したがって、本発明の目的は、簡便な機構でテープを直線状に切断することを可能とする点にある。
【課題を解決するための手段】
【００１０】
前記課題を解決し目的を達成するため、本発明に係るテープディスペンサは、テープをロール状に巻いたテープロールを回転可能にかつ当該テープロールからテープを引き出すことを可能に保持するテープロール保持部と、前記テープを押し付けることにより当該テープを切断可能な切断刃を含み、前記テープロール保持部に収納されたテープロールから引き出されたテープを前記切断刃によって切断するテープ切断部とを備えたテープディスペンサであって、前記切断刃は、前記テープロールから引き出したテープを押し当てることが可能な略直線状に延在する刃先を含む刃先部を有し、この刃先部の少なくとも一方の端部に、前記テープロールから引き出したテープの側縁部を押し付けることで当該テープの側縁部に切込みを形成可能な切欠部を有する。
【００１１】
本発明のテープディスペンサにおいてテープを切るには、従来のこの種のテープディスペンサと同様に、テープロール保持部に収納されたテープロールから上記テープ切断部へとテープを引き出し、上記切断刃にテープを押し付けることでこれを切断することが可能であるが、本発明のディスペンサでは、当該切断刃が、略直線状に延在する刃先を含む刃先部を有すると共に、この刃先部の端部に切欠部を備えている。
【００１２】
この切欠部は、刃先にテープを押し当てたときに、当該テープの側縁部が当接してテープの側縁部を切り裂き、テープ側縁部に切込みを形成するものである。テープ側縁部に切込みが一旦形成されれば、テープを上記刃先にさらに押し付けることで当該刃先に沿ってテープは容易に切断される。
【００１３】
切欠部の具体的な形状としては、例えば略半円形の形状を有するもの、すなわち、刃先部を略半円形に切り欠いたような形状とすることが出来る。また、優弧（半円より大きな円弧）形状、あるいは劣弧（半円より小さな円弧）形状をなすものとしても良い。さらに円弧以外の、例えば楕円弧状、方形、三角形（Ｖ字形）、多角形状その他の形状とすることも可能である。
【００１４】
ただし、当該切欠部の、切断刃中心側の角部（以下、「内側角部」または「切っ先部」と称する）が、鋭利となるように、あるいは、直角または直角より角度の小さな鋭角をなすように、当該切欠部を形成する（例えば上記のように切欠部を半円形にすれば当該切っ先部は直角となるし、優弧形状にすれば当該切っ先部が鋭角となる）ことがテープの側縁部に切込みをより確実かつ容易に入れられる点で好ましい。
【００１５】
なお、本発明に言う上記「切欠」部は、作成の方法を限定するものではなく（切断刃を切り欠いて或いは削り取って形成したものに限られるわけではなく）、切欠部の形成方法は特に問わない。例えば、一体成形により切断刃（刃先部）と同時に切欠部を形成しても勿論構わない。特に、樹脂により本発明に係る刃を作成する場合には、ディスペンサの本体と切断刃とを一体に成形することで、量産性良く低廉なコストで本発明に係るディスペンサを製造することが出来る。
【００１６】
上記切欠部は、刃先部の一端部に備えても良いが、刃先部の両端部に、すなわち、テープの左右両側縁に対応した位置にそれぞれ設けることが望ましい。このようにすれば、テープの左右どちらの縁部からもテープを切断することが可能となり、操作性が良好となる。このように刃先部の両端部に切欠部を設ける場合には、これら切欠部を、前記テープロール保持部に収納されるテープの左右各縁部がそれぞれ左右各切欠部内に位置せしめられる間隔を隔てて配置すれば良い。言い換えれば、刃先部に備えた一対の（左右２つの）切っ先部（内側角部）間の間隔がテープの幅より小さく、かつ、当該一対の切欠部の外側縁部同士の間隔がテープの幅より大きくなるように、両切欠部を形成する。
【００１７】
上記刃先部は、テープロールに近い側に位置する第一の面と、テープロールから遠い側に位置する第二の面とを有し、これら第一の面と第二の面とが互いに交差することにより前記刃先が形成され、当該第一の面と、テープロールから引き出されたテープとのなす角度が０度以上９０度未満となるように前記切断刃が備えられていることが望ましい。テープをより容易かつ確実に切断するためである。
【００１８】
なお、かかる構成につき別の表現をすれば、上記第一の面はテープロール側に面しており、上記第二の面はテープロールと反対側を向いている。さらに言い換えれば、上記第二の面はテープロールから繰り出されるテープの進行方向を向いており、上記第一の面は当該テープの進行方向とは逆方向を向いている。
【００１９】
上記第一の面と第二の面とのなす角度が９０度より小さく、これら第一の面および第二の面によって片刃が形成されるようにしても良い。また、上記切断刃は、板状の部材（薄板）であっても良い。この場合、当該板状部材の一方の面（テープロールに近い側の面）が上記第一の面となり、他方の面（テープロールから遠い側の面）が上記第二の面となる。
【００２０】
本発明のディスペンサでは、切欠部の外側に、テープロールから引き出されたテープの左右方向への位置ずれを規制しテープの側縁部を上記切欠部に導くガイド部を備えても良い。テープロールから引き出したテープをより容易に切欠部に誘導して切断可能とし、当該ディスペンサの利便性を向上させるためである。
【００２１】
さらに操作性を高めるため、ガイド部は刃先より上方に突出するようにしても良い。また、刃先部の両端部に切欠部を有すると共に、これら切欠部の各外側に起立するように上記ガイド部を備え、これらガイド部の間に、テープロールから引き出したテープを落とし込むことにより刃先にテープを押し当てることを可能としても良い。
【００２２】
また、上記ガイド部の内側壁部を弧状に湾曲した形状としても良い。ガイド部の内側壁部をこのように弧状に形成すれば、テープロールから引き出したテープをガイド部に沿って上下させてもテープの縁が引っ掛かったり、ガイド部の内側壁部に当接して折れ曲がるような事態が生じることを防ぐことが出来る。
【００２３】
さらに上記ディスペンサでは、テープロールのテープの引出点側から見て前記刃先部の手前位置に、テープロールから引き出したテープを一時的に貼り付けておくことを可能とする台座状のテープ係止部をさらに備えても良い。このような構造によれば、次回テープを使用するときに、テープ係止部に止められたテープをつまんで容易にテープを引き出すことが出来る。
【００２４】
また、本発明に係るテープディスペンサ用切断刃は、テープをロール状に巻いたテープロールを回転可能にかつ当該テープロールからテープを引き出すことを可能に保持するテープロール保持部と、前記テープを切断するテープ切断部とを備えたテープディスペンサに装着して前記テープを切断するテープディスペンサ用切断刃であって、前記テープロールから引き出したテープを切断可能な切断刃と、当該切断刃を前記テープ切断部に支持する固定部とを備え、前記切断刃は、前記テープロールから引き出したテープを押し当てることが可能な略直線状に延在する刃先を含む刃先部を有し、この刃先部の少なくとも一方の端部に、前記テープロールから引き出したテープの側縁部を押し付けることで当該テープの側縁部に切込みを形成可能な切欠部を有する。
【００２５】
本発明のテープディスペンサ用切断刃は、既存のテープディスペンサに装着してテープを直線状に切断することを可能とするもので、前記本発明のディスペンサと同様の切断刃、すなわち、略直線状の刃先と切欠部とを備えた刃を有し、この刃を上記固定部によって既存のテープディスペンサに固定する。
【００２６】
固定の方法（固定部の構造）は、特に問わない。例えば、嵌合や接着、被せて装着する方式その他の固定構造により既存のディスペンサに固定可能とすれば良い。
【００２７】
さらに、本発明に係るテープカッターは、テープをロール状に巻いたテープロールに装着して当該テープロールから引き出されたテープを切断するテープカッターであって、前記テープロールから引き出したテープを切断可能な切断刃と、当該切断刃を前記テープロールの周面に沿って移動可能に前記テープロールに支持するベース部とを備え、前記切断刃は、前記テープロールから引き出したテープを押し当てることが可能な略直線状に延在する刃先を含む刃先部を有し、この刃先部の少なくとも一方の端部に、前記テープロールから引き出したテープの側縁部を押し付けることで当該テープの側縁部に切込みを形成可能な切欠部を有する。
【００２８】
本発明のテープカッターは、テープロール自体に取り付けて上記切断刃によってテープを切断することを可能とするものである。この切断刃は、前記本発明のディスペンサと同様の構造を有する（略直線状の刃先と切欠部とを備える）ものであり、上記ベース部は当該切断刃をテープロールの周面に沿って移動可能に支持する。これにより、テープロールから所望の長さテープを引き出し、上記切断刃によってこれを切断することが出来る。
【００２９】
上記テープディスペンサ用切断刃ならびにテープカッターにおいても、前記本発明に係るテープディスペンサと同様に、下記（１）から（１１）の好適な各態様を採用することが可能である。
【００３０】
（１）  刃先部の両端部に切欠部を備え、これら切欠部が、テープロール保持部に収納されるテープの左右各縁部がそれぞれ左右各切欠部内に位置せしめられる間隔を隔てて形成されている。
（２）  切欠部が略半円形状を有する。
（３）  切欠部が優弧形状をなす。
（４）  切欠部の、刃の中心側の角部が鋭角をなす。
（５）  切欠部の外側に、テープロールから引き出されたテープの左右方向への位置ずれを規制しテープの側縁部を切欠部に導くガイド部を備える。
（６）  刃先部が、テープロールに近い側に位置する第一の面と、テープロールから遠い側に位置する第二の面とを有し、これら第一の面と第二の面とが互いに交差することにより刃先が形成され、第一の面と、テープロールから引き出されたテープとのなす角度が０度以上９０度未満となるように切断刃が備えられている。
（７）  上記第一の面と第二の面とのなす角度が９０度より小さく、これら第一の面および第二の面によって片刃が形成される。
（８）  ガイド部が、刃先より上方に突出している。
（９）  刃先部の両端部に切欠部を有すると共に、これら切欠部の各外側に起立するようにガイド部を備え、これらガイド部の間に、テープロールから引き出したテープを落とし込むことにより刃先部にテープを押し当てることを可能としてある。
（１０）  ガイド部の内側壁部が弧状に湾曲している。
（１１）  テープロールのテープの引出点側から見て前記切断刃（刃先部）の手前位置に、テープロールから引き出したテープを一時的に貼り付けておくことを可能とする台座状のテープ係止部をさらに備える。
【００３１】
本発明において、粘着テープの種類（テープ基材および粘着剤の材料、テープの幅寸法、片面粘着か両面粘着か等）は特に問わない。テープの用途についても、例えば一般消費材用（文具／事務用）、産業用（工業・農業・水産加工業その他産業）、医療用その他であって良く、これらのテープを切断するためのディスペンサ又はテープカッターを本発明に基づいて構成することが可能である。
【００３２】
一例を挙げれば、例えば事務用粘着テープ、荷造り用テープ（所謂ガムテープ・ビニールテープ・樹脂製テープ）、メンディングテープ、製本テープ、塗装用マスキングテープ、サイン用テープ、電気絶縁テープ、部品接合用テープ、絆創膏・医療補助用テープ、自転車／自動車ハンドル・テニスラケットやゴルフクラブ等のグリップ等に巻装するテープなど様々なテープ類を対象としたディスペンサ乃至テープカッターに本発明は適用することが出来る。
【００３３】
さらに、粘着テープに限らず、粘着材を備えないテープ状物品（長尺のシート状物品をロール状に巻いたもの）、例えばアルミホイルやラップ、トイレットペーパー等を切断する刃として本発明は適用可能である。テープ基材の材質は、典型的には樹脂であるが、紙や布（織布・不織布）、金属、皮革その他であっても良い。
【発明の効果】
【００３４】
本発明によれば、簡便な機構でテープを直線状に切断することが出来る。
【００３５】
本発明の他の目的、特徴および利点は、図面に基づいて述べる以下の本発明の実施の形態の説明により明らかにする。尚、各図中、同一の符号は、同一又は相当部分を示す。
【発明を実施するための最良の形態】
【００３６】
〔実施形態１〕
図１から図１１は、本発明の第一の実施形態に係る粘着テープディスペンサを示すものである。これらの図に示すようにこのディスペンサ１１は、粘着テープロール１（図９参照）を収納するテープロール保持部１２と、このテープロール保持部１２の底部から前方に延び、その先端部からさらに上方に立ち上がるアーム部２０とを有し、このアーム部２０の先端にテープ１０（図９参照）を切断するためのテープ切断部２１を備えている。
【００３７】
テープロール保持部１２は、その中心部に、水平に延びる支持軸１３を備え、テープロール１はその芯をこの支持軸１３に通すことにより回転自在に支持される。また、ディスペンサ１１の一方の側板１５ａが取り外し可能になされており、テープロール保持部１２にテープロール１を装着するには、当該ディスペンサ１１の側板１５ａ（１２ａ，２０ａ）を外し、テープロール１の芯を支持軸１３に通すことによりテープロール１をテープロール保持部１２に格納することが出来る。なお、これらテープロール保持部１２およびアーム部２０は従来のテープディスペンサと同様の構造であって構わない。
【００３８】
一方、テープ切断部２１は、テープ１０を押し付けて切断可能な切断刃３１と、テープ１０を一時的に貼り付けておくための台座状のテープ係止部２２とを備え、テープロール保持部１２側から見てテープ１０の繰出し方向に、テープ係止部２２、切断刃３１の順に配列させ、テープロール１からテープ１０を引き出してテープ係止部２２に貼り付けてテープ１０を係止させた後、切断刃３１にテープ１０を押し付けることにより当該テープ１０を切断することが可能である。
【００３９】
切断刃３１の刃先３１ｃは、テープロール（テープロール保持部１２）に近い側に位置する第一面３１ａと、テープロール（テープロール保持部１２）から遠い側に位置する第二面３１ｂとが鋭角（例えば２５°から５０°の範囲）をもって交差することによって形成される（図６参照）。また、切断刃３１の第一面３１ａは、テープロールから引き出されたテープ下面の粘着面に斜めに（鋭角をもって）面する（対面する）こととなる。したがって、テープを切断するときには、テープが切断刃３１の第一面３１ａの先端部分に貼り付いて固定され、これにより刃先３１ｃに沿って綺麗にテープが切断される。
【００４０】
また、切断刃３１の刃先３１ｃは、テープ切断部２１の前面上端部に水平にかつ直線状に延在しており、左右各端部に切欠部３２ａ，３２ｂを有する。これら切欠部３２ａ，３２ｂは、テープロール保持部１２に収容されるテープ１０の幅寸法に対応した間隔を隔てて形成してある。より具体的には、図１０に拡大して示すように、テープ１０の左右各側縁１０ａ，１０ｂが左右各切欠部３２ａ，３２ｂ内（切欠部３２ａ，３２ｂの、切断刃中心側角部（切っ先部）３３ａ，３３ｂと、切断刃外側角部３４，３４との間）に位置するような間隔寸法をもって２つの切欠部３２ａ，３２ｂを形成してあり、テープロール１から真っ直ぐにテープ１０を引き出して切断刃３１に載せたときに、切断刃３１の各切欠部３２ａ，３２ｂがテープ１０の左右各側縁部１０ａ，１０ｂに当接するようにしてある。
【００４１】
テープ１０を切るには、図９に示すようにテープロール１からテープ１０を引き出して（巻き戻して）テープ１０を下方へ下げ、テープ１０の左右どちらかの縁１０ａ又は１０ｂに力をかけて切断刃３１（切欠部３２ａ又は３２ｂ）に押し付ければ良い。すると、切欠部３２ａ又は３２ｂの内側角部（切っ先部）３３ａ又は３３ｂがテープ１０の縁部１０ａ又は１０ｂを切り裂き、切断刃３１の直線状の刃先に沿ってテープ１０が真っ直ぐに（直線状に）切断される。切欠部３２ａ，３２ｂは、図１２に示すように１つとすることも可能であるが、本実施形態では、切断刃３１の左右に切欠部（切っ先部）３２ａ，３２ｂを備え、したがってテープ１０の左右どちらの縁１０ａ，１０ｂからでもテープ１０を切ることが可能である。
【００４２】
また本実施形態では、図１１にさらに拡大して示すように切欠部３２ａ，３２ｂを、優弧（半円より大きな円弧）をなすようにしてある。これにより切っ先部３３ａ，３３ｂが直角より小さな鋭角となって尖るから、テープ１０の縁１０ａ，１０ｂをより小さな力で容易に切り裂くことが出来る。切欠部３２ａ，３２ｂの弧の直径は、テープ１０の種類（材質、厚さ等）にもよるが、事務用の樹脂製粘着テープの場合、例えば１ｍｍ〜１．５ｍｍ程度とすることが出来る。また上記切断刃３１は、本実施形態の場合、テープ係止部２２、アーム部２０ｂならびにテープロール保持部１２ｂ（ディスペンサの他方の側板１５ｂ）と共に、樹脂により一体成形する。
【００４３】
また本実施形態では、切断刃３１の左右両端部外側に、平坦な台座状のガイド部３５を設けてある。これらガイド部３５は、切欠部３２ａ，３２ｂにテープ１０の側縁１０ａ，１０ｂを誘導するためのもので、当該ディスペンサ１１の使用者は、テープロール１から引き出したテープ１０をこれらガイド部３５の間に下ろすことで切断刃３１（切欠部３２ａ，３２ｂ）にテープ１０を当接させることが出来る。
【００４４】
図１３（ａ）〜（ｂ）は、本実施形態のディスペンサ１１により切断したテープ１０の切断端辺を模式的に示すものである。これらの図に示すように、本実施形態のディスペンサ１１により切断したテープ１０の端辺（切断部分）には、角に小さく尖った耳状の突出部２が形成されることがある。試作品による実験によれば、このような耳状の突出部２は、切欠部３２ａ，３２ｂ（切っ先部３３ａ，３３ｂ）がよりテープの側縁１０ａ，１０ｂに近い位置に当接するように両切っ先部３３ａ，３３ｂの間隔を設定すれば、小さくすること、あるいは殆ど（又は実質的に全く）生じないようにすることも可能である。
【００４５】
一方、逆に切断後、このような耳状突出部２が意図的に形成されるようにしておいても良く、このようなディスペンサ（切断刃）構造によれば、テープ１０を剥がすときに（例えば封筒の開封時のように）この突出部２に爪を掛けてテープ１０を容易に剥がせるようにすることが出来る。なお、上記耳状突出部２が形成されるようにするには、テープ１０の幅寸法Ｗ０と両切っ先部の間隔寸法Ｗ１との差を大きくすれば良い。
【００４６】
〔実施形態２〕
図１４から図１５は本発明の第二の実施形態に係る粘着テープディスペンサを示すものである。これらの図に示すようにこのディスペンサは、前記第一実施形態のディスペンサと同様に、テープロール保持部およびアーム部（いずれも図示せず）と、切断刃３１、テープ係止部２２およびガイド部３５を含むテープ切断部２１とを備える（後述の第三及び第四実施形態も同様）が、切断刃３１の左右両外側に設けたガイド部３５を、切断刃３１の刃先３１ｃより上方へ突出するようにしたものである。
【００４７】
このようにガイド部３５を上方へ突出させれば、テープロール１から引き出したテープ１０を切断刃３１（切欠部３２ａ，３２ｂ）に押し付けるときに、迷うことなくより確実・容易にテープ１０を切断刃３１に落とし込んで押し当てることが可能となる。さらに図１６に示すように、上記両ガイド部３５の各上端から切断刃中心側に略水平に延びるフランジ部３５ａを各ガイド部３５に設け、これらフランジ部３５ａによって切断刃３１に向け落とし込まれるテープ１０の左右のずれ（ブレ）を規制するようにしても良い。
【００４８】
〔実施形態３〕
図１７から図１８は本発明の第三の実施形態に係る粘着テープディスペンサを示すものである。これらの図に示すようにこのディスペンサでは、切断刃３１の左右両外側に設けたガイド部３５を、切断刃３１の刃先３１ｃより上方へ突出させると共に、両ガイド部３５の各上端から切断刃中心側に略水平に延びるフランジ部３５ａを各ガイド部３５に設けたものである。テープ側縁部を切断する切欠部３２ａ，３２ｂは、刃先部とガイド部３５に亘って円弧を描くように形成してあり、切欠部３２ａ，３２ｂの内周縁とこれと連続するガイド部３５の内側壁およびフランジ部３５ａの下面が連続した円弧を形成する。
【００４９】
切欠部３２ａ，３２ｂならびにガイド部３５に、このような連続した円弧形状を形成すれば、テープロール１から引き出したテープ１０が左右にずれてもテープ１０の縁が切欠部３２ａ，３２ｂの内周縁やガイド部３５の内側壁に引っ掛かったり、テープ１０の縁が折れ曲がるような事態が生じることを防ぐことが出来る。
【００５０】
〔実施形態４〕
図１９から図２０は本発明の第四の実施形態に係る粘着テープディスペンサを示すもので、図１９がテープ切断部２１を上方から、図２０はテープ切断部２１をディスペンサの先端側からそれぞれ見た状態を示している。これらの図に示すようにこのディスペンサでは、前記第一実施形態（図１０）の円弧状の各切欠部の外側略半分を切断するように切断刃３１ならびにテープ係止部２２の左右両側部に側板（ガイド板）３６を設けたものである。したがって、切欠部３２ａ，３２ｂは略四分の一円の形状を呈し、切断刃中心側に内側角部（切っ先部）３３ａ，３３ｂを備える。
【００５１】
各ガイド板３６は、テープ係止部２２ならびに切断刃３１の左右両外側に垂直に起立するように設置してあり、これらガイド板３６の間にテープ１０を落とし込んで切断刃３１によってテープ１０を切断するようにした。各ガイド板３６は、図１９に示すように切断刃３１の刃先３１ｃより前方に突出し、かつ、図２０に示すように切断刃３１の刃先３１ｃより上方に突出している。また、左右のガイド板３６の内面の間隔は、テープ１０の幅寸法Ｗ０より若干大きくしてあり、切欠部３２ａ，３２ｂの内側角部（切っ先部）３３ａ，３３ｂがテープ１０の左右両側縁部に当接する。
【００５２】
〔実施形態５〕
図２１から図２３は本発明の第五の実施形態に係る粘着テープカッターを示すものである。これらの図に示すようにこのテープカッター４１は、前記第一から第四実施形態のディスペンサとは異なり、テープロール１自体に装着するカッター器具である。
【００５３】
具体的には、本実施形態のテープカッター４１は、当該カッター４１をテープロール１に支持するベース部と、テープロール１から引き出したテープ（図示せず）を切断するテープ切断部とを備え、テープ切断部はテープ係止部２２ならびに切断刃３１を有する。なお、これらテープ係止部２２ならびに切断刃３１は、前記第一から第四実施形態と同一の構造ならびに機能を有するから、重複した説明を省略する（以降の第六から第八実施形態においても同様）。
【００５４】
本実施形態のカッター４１は、さらに上記ベース部として、テープロール１の外面側と内面側とに略水平に延在してテープロール１を挟む一対のロッド４２を、テープ切断部（切断刃３１およびテープ係止部２２）の前方と後方とにそれぞれ設けてある。これにより、当該カッター４１をテープロール１に沿って移動させることが可能である。各ロッド４２の左右両側部にはそれぞれ側板３６を設け、これら側板３６がテープロール１の側面に起立するように配置する。なお、図２３に示すように両側板３６のうち一方の側板を取り外し可能とすることにより、テープロール１に当該カッター４１を装着できるようにする。
【００５５】
テープを切るには、テープロール１からテープを引き出し（巻き戻し）、テープ係止部２２ならびに切断刃３１の上に載せるようにして切断刃３１に押し付け、切断刃３１によってテープを切断すれば良い。
【００５６】
〔実施形態６〕
図２４から図２５は本発明の第六の実施形態に係る粘着テープカッターを示すものである。これらの図に示すようにこのテープカッター５１は、現在市場に提供されている事務用粘着テープディスペンサ３のテープ切断部に装着して当該ディスペンサ３に備えられている刃の代わりに本発明に係る切断刃３１を使用できるようにするものである。
【００５７】
すなわち、このテープカッター５１は、テープディスペンサ３のアーム部先端に備えられているテープ切断部に装着するための一対の支持アーム５３を備え、この支持アーム５３によってテープ切断部の前面に切断刃３１を固定する。切断刃３１は、前記各実施形態と同様に直線状の刃先３１ｃとその左右両端部に形成した切欠部３２ａ，３２ｂとを備えている。
【００５８】
またこの種のディスペンサ３では、テープ切断部の前面にギザギザの凹凸が形成されていることがある。そこで、本実施形態のカッター５１では、テープ切断部前面に当接することとなる切断刃３１の内側面（後面）に当該既存のディスペンサ３の凹凸に対応してこれと噛み合う凹凸を形成する。このような凹凸を形成することで、テープ切断操作時におけるカッター５１の左右方向へのずれを防ぐことができ、テープを良好に切断刃３１に押し付けて切断することが可能となる。
【００５９】
〔実施形態７〕
図２６は本発明の第七の実施形態に係る粘着テープカッターを示すものである。同図に示すようにこのテープカッターは、現在市場に提供されている事務用粘着テープに付属されている金属製のテープカッター（金属カッター）４を利用し、この金属カッター４に本発明に係る切断刃３１を装着するものである。金属カッター４は、テープを切断するための刃４ａと、テープロール１を把持するように下端部を折り曲げて当該カッター４をテープロール１に固定するための脚部４ｂとを備えている。なお、脚部４ｂを折り曲げてテープロール１に固定した状態でも、金属カッター４をテープロール１の周面に沿って自由に移動させることが可能である。
【００６０】
一方、本実施形態に係るカッターは、上記金属カッター４に装着可能な切断刃体６１を備える。この切断刃体６１は、前記各実施形態と同様に直線状の刃先３１ｃとその左右両端部に形成した切欠部３２ａ，３２ｂとを有する切断刃３１と、この切断刃３１に隣接してテープを一時的に貼り付けておくことを可能とするテープ係止部２２とを有し、金属カッター４の刃部分４ａに固定可能とする。切断刃３１とテープ係止部２２とは、樹脂により一体成形する。金属カッター４への固定手段は特に問わない。例えば、切断刃体６１（切断刃３１およびテープ係止部２２）の底面部にスリット状の穴を設けてこの穴に金属カッター４の刃部分４ａを差し込んで当該切断刃体を金属カッター４に固定する（嵌合させる）ようにしても良いし、例えば両面粘着テープによって金属カッター４に切断刃体６１を固定するなど様々な固定構造を採って良い。
【００６１】
〔実施形態８〕
図２７は本発明の第八の実施形態に係る粘着テープカッターを示すものである。同図に示すようにこのテープカッターは、前記第七実施形態と同様の切断刃体６１（切断刃３１、テープ係止部２２）と、前記金属カッター４と同様に下端部を折り曲げてテープロール１に固定するための脚板６３を備える。この脚板６３は、上記金属カッター４の脚部４ｂと同様に金属板（軟鉄板）からなる。
【００６２】
一方、切断刃３１とテープ係止部２２とを含む切断刃体６１は、その下端部に左右方向に貫通するスリット状の貫通孔６２を備えており、この貫通孔６２に上記脚板６３を通して左右を下方に折り曲げて前記金属カッター４と同様の脚部を形成することが可能である。この脚部は、さらにテープロール１を把持するように内側に折り曲げることで切断刃体６１をテープロール１に装着することが出来る。
【００６３】
以上、本発明の実施の形態について説明したが、本発明はこれらに限定されるものではなく、特許請求の範囲に記載の範囲内で種々の変更を行うことができることは当業者に明らかである。
【００６４】
例えば、本発明における、テープディスペンサ、刃ならびにテープカッターの各部（テープロール保持部、テープ切断部、刃）などは、例えば樹脂により形成することが出来るが、金属その他材料を使用することも可能である。また、前記実施形態では、小型の事務用のテープディスペンサ及びテープカッターを想定したが、例えば大型の据置型の事務用テープディスペンサや上記様々な用途のテープを対象としたテープカッターに対して本発明は適用することが出来る。また、本発明に係るディスペンサ及びテープカッターの各部（テープロール保持部、アーム部、テープ切断部等）は、図示の例のほか様々な形状・構造を有するものであって良い。
【００６５】
さらに図２８及び図３０に示すように、切断刃３１の刃先部（切欠部３２ａ，３２ｂの間）に別の切欠部６５，６６を設けても良い。このような切欠部（以下、中央切欠部と言う）６５，６６を設けると、それぞれ図２９及び図３１に示すように、切断後のテープ１０の端辺に当該中央切欠部６５，６６に対応した形状の突出部２がテープ１０の端辺に形成されることとなる。この突出部２は、前記耳状突出部２（図１３（ａ）〜（ｂ））と同様の機能、すなわち、テープ１０を剥がすときに爪を掛けてテープ１０を剥がしやすくする機能を奏する。特に、図２８に示すように弧状の中央切欠部６５を設ければ、図２９に示すように先が尖っていない丸い（弧状の）突出部２が形成されるから、当該突出部２に爪を掛けてテープ１０を剥がすときに痛くない利点がある。
【図面の簡単な説明】
【００６６】
【図１】本発明の第一の実施形態に係る粘着テープディスペンサを示す正面図である。
【図２】前記第一実施形態に係る粘着テープディスペンサを示す平面図である。
【図３】前記第一実施形態に係る粘着テープディスペンサを示す底面図である。
【図４】前記第一実施形態に係る粘着テープディスペンサを示す右側面図である。
【図５】前記第一実施形態に係る粘着テープディスペンサを示す左側面図である。
【図６】前記第一実施形態に係る粘着テープディスペンサを示すＤ‐Ｄ部分Ａ‐Ａ線拡大断面図である。
【図７】前記第一実施形態に係る粘着テープディスペンサを示すＤ‐Ｄ部分Ｂ‐Ｂ線拡大断面図である。
【図８】前記第一実施形態に係る粘着テープディスペンサを示すＤ‐Ｄ部分Ｃ‐Ｃ線拡大断面図である。
【図９】前記第一実施形態に係る粘着テープディスペンサを示す斜視図である。
【図１０】前記第一実施形態に係る粘着テープディスペンサの切断刃を拡大して示す図である。
【図１１】図１０の刃の一部（切欠部）をさらに拡大して示す図である。
【図１２】前記第一実施形態に係る粘着テープディスペンサ（切断刃）の変形例を示す図である。
【図１３】前記第一実施形態の粘着テープディスペンサによる切断後のテープの端辺を例示する図である。
【図１４】本発明の第二の実施形態に係る粘着テープディスペンサの要部（テープ切断部）を示す図である。
【図１５】前記第二実施形態に係る粘着テープディスペンサの要部（テープ切断部）を示す斜視図である。
【図１６】前記第二実施形態に係る粘着テープディスペンサ（テープ切断部）の変形例を示す図である。
【図１７】本発明の第三の実施形態に係る粘着テープディスペンサの要部（テープ切断部）を示す図である。
【図１８】前記第三実施形態に係る粘着テープディスペンサの要部（テープ切断部）を示す斜視図である。
【図１９】本発明の第四の実施形態に係る粘着テープディスペンサの要部（テープ切断部）を示す平面図である。
【図２０】前記第四実施形態に係る粘着テープディスペンサの要部（テープ切断部）をディスペンサ先端側から見た状態を示す図である。
【図２１】本発明の第五の実施形態に係るテープカッター（テープロールへの装着状態）を示す斜視図である。
【図２２】前記第五実施形態に係るテープカッターを示す斜視図である。
【図２３】前記第五実施形態に係るテープカッターを示す分解斜視図である。
【図２４】本発明の第六の実施形態に係るテープカッターを示す斜視図である。
【図２５】前記第六実施形態に係るテープカッター（テープロールへの装着状態）を示す斜視図である。
【図２６】本発明の第七の実施形態に係るテープカッターを示す斜視図である。
【図２７】本発明の第八の実施形態に係るテープカッターを示す斜視図である。
【図２８】本発明に係る切断刃の一例を示す図である。
【図２９】前記図２８に示した切断刃により切断したテープの端辺を示す図である。
【図３０】本発明に係る切断刃の別の一例を示す図である。
【図３１】前記図３０に示した切断刃により切断したテープの端辺を示す図である。
【図３２】従来の粘着テープディスペンサ乃至テープカッターに備えられている切断刃の一例を示す図である。
【符号の説明】
【００６７】
１  粘着テープロール
２  テープ切断端辺の突出部
４  金属カッター
１０  粘着テープ
１１  粘着テープディスペンサ
１２  テープロール保持部
１３  テープロールの支持軸
２０  アーム部
２１  テープ切断部
２２  テープ係止部
３１  切断刃
３１ａ  切断刃の第一面
３１ｂ  切断刃の第二面
３１ｃ  切断刃の刃先
３２  切欠部
３３  
３５  ガイド部
４１，５１  テープカッター
６１  切断刃体
６５，６６  中央切欠部
【図１】
2008297068.tif 000003
【図２】
2008297068.tif 000004
【図３】
2008297068.tif 000005
【図４】
2008297068.tif 000006
【図５】
2008297068.tif 000007
【図６】
2008297068.tif 000008
【図７】
2008297068.tif 000009
【図８】
2008297068.tif 000010
【図９】
2008297068.tif 000011
【図１０】
2008297068.tif 000012
【図１１】
2008297068.tif 000013
【図１２】
2008297068.tif 000014
【図１３】
2008297068.tif 000015
【図１４】
2008297068.tif 000016
【図１５】
2008297068.tif 000017
【図１６】
2008297068.tif 000018
【図１７】
2008297068.tif 000019
【図１８】
2008297068.tif 000020
【図１９】
2008297068.tif 000021
【図２０】
2008297068.tif 000022
【図２１】
2008297068.tif 000023
【図２２】
2008297068.tif 000024
【図２３】
2008297068.tif 000025
【図２４】
2008297068.tif 000026
【図２５】
2008297068.tif 000027
【図２６】
2008297068.tif 000028
【図２７】
2008297068.tif 000029
【図２８】
2008297068.tif 000030
【図２９】
2008297068.tif 000031
【図３０】
2008297068.tif 000032
【図３１】
2008297068.tif 000033
【図３２】
2008297068.tif 000034